(57)【要約】【課題】ＬＥＤが配設された挿入部の先端に、照明用レンズを、細径化を図ったままで簡単に配設することができ、ＬＥＤから照射された照明光を対物光学系の視野角に合わせて効率良く配光して被検部位へと照射することができる構成を有する内視鏡を提供する。【解決手段】被検部位に挿入される細長な挿入部２０と、挿入部２０の先端の先端硬質部５０内に設けられた光源となるチップ状のＬＥＤ４５と、先端硬質部５０内においてＬＥＤ４５よりも該ＬＥＤ４５の照射方向の先端側に、ＬＥＤ４５に対向するよう透明接着剤５５を介して設けられた、ＬＥＤ４５から照射された光を集光して被検部位に照射する照明用レンズ８４と、を具備していることを特徴とする。【選択図】図５
2007296112.tif 000002
【特許請求の範囲】
【請求項１】
被検部位に挿入される細長な挿入部と、
前記挿入部の先端の固定枠内に設けられた光源となるチップ状のＬＥＤと、
前記固定枠内において前記ＬＥＤよりも該ＬＥＤの照射方向の先端側に、前記ＬＥＤに対向するよう透明接着剤を介して設けられた、前記ＬＥＤから照射された光を集光して前記被検部位に照射する照明用レンズと、
を具備していることを特徴とする内視鏡。
【請求項２】
前記照明用レンズは、フライアイレンズ形状またはフルネラレンズ形状に形成されていることを特徴とする請求項１に記載の内視鏡。
【請求項３】
前記照明用レンズは、前記透明接着剤の前記照射方向の先端側に貼着されたシート状部材に設けられていることを特徴とする請求項１または２に記載の内視鏡。
【請求項４】
前記照明用レンズは、前記シート状部材と一体的に形成されていることを特徴とする請求項３に記載の内視鏡。
【請求項５】
前記照明用レンズは、前記透明接着剤における前記照射方向の先端側に設けられていることを特徴とする請求項１または２に記載の内視鏡。
【請求項６】
前記照明用レンズは、前記透明接着剤と一体的に形成されていることを特徴とする請求項５に記載の内視鏡。
【請求項７】
前記固定枠は、第１の空間を有する第１の筒状部と、該第１の筒状部を被覆する、前記第１の筒状部との間に第２の空間を有する第２の筒状部とから構成されており、
前記第１の空間には、前記被検部位を撮像する撮像ユニットが設けられており、前記第２の空間には、前記照明用レンズ及び前記ＬＥＤが設けられていることを特徴とする請求項１〜６のいずれか１つに記載の内視鏡。
【請求項８】
前記照明用レンズ及び前記ＬＥＤは、前記第２の空間に前記撮像ユニットを平面的に囲むよう複数設けられていることを特徴とする請求項７に記載の内視鏡。
【請求項９】
請求項１〜８のいずれか１項に記載の内視鏡を具備することを特徴とする内視鏡装置。
【発明の詳細な説明】
【技術分野】
【０００１】
本発明は、被検部位に挿入される細長な挿入部と、挿入部の先端の固定枠内に設けられた光源となるチップ状のＬＥＤとを具備する内視鏡、内視鏡装置に関する。
【背景技術】
【０００２】
周知のように、内視鏡装置は、医療分野及び工業用分野において広く利用されている。医療分野において用いられる内視鏡装置の内視鏡は、細長い挿入部を被検部位である体腔内に挿入することによって、体腔内の臓器を観察したり、必要に応じて処置具の挿通チャンネル内に挿入した処置具を用いて各種処置をしたりすることができる。
【０００３】
また、工業用分野において用いられる内視鏡装置の内視鏡は、細長い挿入部を被検部位であるジェットエンジン内や、工場の配管等に挿入することによって、被検部位の傷及び腐蝕等の観察や各種処置等を行うことができる。よって、工業用の内視鏡装置は、屋外や、工場等の作業施設で一般的に使用される。
【０００４】
尚、工業用の内視鏡装置には、挿入長さの長い挿入部、例えば１０ｍの長さの挿入部を有する大型のものや、挿入長さの短い挿入部、例えば３ｍの長さの挿入部を有する携帯性に優れたショルダ式の小型のものが周知である。
【０００５】
内視鏡は、先端に対物光学系やＣＣＤ等の撮像素子を有する撮像ユニットと、被検部位を照明するための照明用レンズを有する照明ユニットとが配設された細長の挿入部を有しているのが一般的である。
【０００６】
照明用レンズは、内視鏡が接続される装置本体に配設された光源からライトガイドを介して導かれた光を、被検部位へと照射する、例えば対物光学系の視野角に合わせた配光角を有している。
【０００７】
よって、挿入部の先端に照明用レンズが配設されておれば、ライトガイドを介して装置本体の光源から導かれた光を、光量を無駄にすることなく、配光良く被検部位に照射することができる。
【０００８】
このように、挿入部の先端に照明用レンズが配設された構成を有する内視鏡は周知であり、例えば特許文献１に開示されている。特許文献１には、挿入部の先端に装着される光学アダプタに、撮像ユニットと照明用レンズとが配設された構成を有している。
【０００９】
また、近年、小型の内視鏡、内視鏡装置においては、内視鏡と該内視鏡が接続される装置本体とにより構成される内視鏡装置全体の小型化及び消費電力の低減を図る目的で、挿入部の先端にチップ状のＬＥＤ等の光源が配設されているものも周知であり、このような内視鏡の先端部は、例えば特許文献２に開示されている。
【特許文献１】特開平１０−１０４５３１号公報
【特許文献２】特開２０００−８９１３０号公報
【発明の開示】
【発明が解決しようとする課題】
【００１０】
ところで、近年、細かな被検部位を観察する目的で、小型の内視鏡であっても、更なる挿入部の細径化が要求される事情にある。
【００１１】
挿入部の先端にＬＥＤが配設された小型の内視鏡において、内視鏡の挿入部の細径化を図ると、挿入部の先端の空間が減少するため、挿入部の先端に、照明用レンズを機械的に配設することが困難となるといった問題がある。
【００１２】
挿入部の先端に照明用レンズが配設されないと、ＬＥＤから照射された照明光は、対物光学系の視野角以上の配光角でＬＥＤ自体から被検部位に照射されてしまうため、配光が自由に設定できなくなることから、照明光の照射効率が悪くなり、被検部位に対して光量不足となってしまうといった問題がある。
【００１３】
ここで、特許文献２では、内視鏡の先端部において、チップ状のＬＥＤの上部が、ＬＥＤを保護する透明樹脂等の充填剤で覆われた構成を有しているが、この場合であっても、充填剤は、照明用レンズとは用途が異なるため、チップ状のＬＥＤから照射された照明光は、充填剤を介して対物光学系の視野角以上の配光角でＬＥＤ自体から被検部位に照射されてしまうため、照明光の照射効率が悪いといった問題があった。
【００１４】
本発明は、上記問題点に鑑みてなされたものであり、ＬＥＤが配設された挿入部の先端に、照明用レンズを、細径化を図ったままで簡単に配設することができ、ＬＥＤから照射された照明光を対物光学系の視野角に合わせて効率良く配光して被検部位へと照射することができる構成を有する内視鏡、内視鏡装置を提供することを目的とする。
【課題を解決するための手段】
【００１５】
上記目的を達成するために本発明による内視鏡は、被検部位に挿入される細長な挿入部と、前記挿入部の先端の固定枠内に設けられた光源となるチップ状のＬＥＤと、前記固定枠内において前記ＬＥＤよりも該ＬＥＤの照射方向の先端側に、前記ＬＥＤに対向するよう透明接着剤を介して設けられた、前記ＬＥＤから照射された光を集光して前記被検部位に照射する照明用レンズと、を具備していることを特徴とする。
【００１６】
また、上記目的を達成するために本発明による内視鏡装置は、請求項１〜８のいずれか１項に記載の内視鏡を具備することを特徴とする。
【発明の効果】
【００１７】
本発明の内視鏡、内視鏡装置によれば、ＬＥＤが配設された挿入部の先端に、照明用レンズを、細径化を図ったままで簡単に配設することができ、ＬＥＤから照射された照明光を対物光学系の視野角に合わせて効率良く配光して被検部位へと照射することができる。
【発明を実施するための最良の形態】
【００１８】
以下、図面を参照して本発明の実施の形態を説明する。尚、以下、内視鏡は、携帯性に優れたショルダ式の工業用の内視鏡装置が有する直視型の内視鏡を例に挙げて説明する。
【００１９】
（第１実施の形態）
図１は、本発明の第１実施の形態を示す内視鏡を有する内視鏡装置の斜視図、図２は、図１の内視鏡装置を使用する際の、装置本体の戴置状態を示す斜視図である。
【００２０】
図１に示すように、内視鏡装置１は、内視鏡２と該内視鏡２に接続された装置本体３とにより主要部が構成されている。 
内視鏡２は、細長で可撓性を有する細径の挿入部２０と、該挿入部２０の挿入方向基端に接続された、把持部２５を有する操作部２４と、該操作部２４の把持部２５から延出された可撓性を有するユニバーサルコード２６とにより主要部が構成されている。
【００２１】
挿入部２０に、該挿入部２０の先端側から順に、先端部２１と、操作部２４の後述する湾曲操作レバー３１の湾曲操作により、例えば上下／左右方向に湾曲される湾曲部２２と、可撓性部材にて形成された長尺な可撓管部２３とが連設されており、可撓管部２３の基端部が、操作部２４に接続されている。尚、先端部２１の構成は後述する。
【００２２】
先端部２１、湾曲部２２及び可撓管部２３の内部に、先端部２１内に配設される後述する撮像ユニット４２（図３参照）の駆動と撮像信号の送受信とを行う信号ケーブル４８（図３参照）が配設されている。
【００２３】
また、先端部２１、湾曲部２２及び可撓管部２３の内部に、先端部２１内に配設される後述するＬＥＤ４５及びＬＥＤ基板４６（図３参照）にバッテリユニット６２（図２参照）から電源を供給する照明ケーブル４９（図３参照）等が配設されており、さらに、湾曲部２２及び可撓管部２３の内部に、湾曲部２２を湾曲させる図示しない湾曲操作ワイヤ等が配設されている。
【００２４】
操作部２４に、湾曲部２２を湾曲動作させる湾曲操作レバー３１が少なくとも４方向に傾倒自在となるよう直立して配設されている。湾曲操作レバー３１は、上述した湾曲操作ワイヤ等を有する図示しない湾曲ユニットを介して湾曲部２２と接続されている。
【００２５】
湾曲操作レバー３１は、操作者により傾倒方向が変化されることによって、湾曲部２２を上下／左右の４方向の内、いずれかの方向に湾曲動作させる。また、湾曲操作レバー３１は、操作者により傾倒角度が変化されることによって、傾倒された方向に、湾曲部２２を、湾曲操作レバー３１の傾倒角度に応じた角度に湾曲させる。尚、操作部２４には、図示しないが、湾曲操作レバー３１の他、撮像ユニット４２の各種撮像動作を指示する各種スイッチが配設されている。
【００２６】
ユニバーサルコード２６内にも、上述した信号ケーブル４８、照明ケーブル４９等が配設されており、ユニバーサルコード２６の一端は、操作部２４に接続され、他端は、装置本体３に接続されている。
【００２７】
装置本体３は、例えば箱状を有しており、装置本体３の、例えばマグネシウムダイキャストにより構成された外装筐体３５により覆われた内部に、画像処理用のＣＰＵ等の電気部品６１が複数固定された基板６０や、ＬＥＤ４５及びＬＥＤ基板４６に照明ケーブル４９を介して電源を供給するバッテリユニット６２等が配設されている。
【００２８】
また、装置本体３の外装筐体３５に、内視鏡２の撮像ユニット４２により撮像され、信号ケーブル４８を介して送信された内視鏡画像を表示する画像表示面３３を有するモニタ７が固定されている。
【００２９】
詳しくは、モニタ７は、図２に示すように、画像表示面３３を有するモニタ面７ｍの裏面７ｒが、装置本体３の外装筐体３５の６つの外表面の内、例えば外表面１１に対して開閉自在となるよう、蝶番等を介して装置本体３の外表面１１に固定されている。尚、モニタ７は、外装筐体３５に対し着脱自在であっても構わない。
【００３０】
モニタ７は、内視鏡装置１が未使用の際は、図１に示すように、モニタ７の裏面７ｒが、外装筐体３５の外表面１１に対して当接する閉位置に閉成され、内視鏡装置１が使用される際は、図２に示すように、裏面７ｒが、外装筐体３５の外表面１１に対して離間する開位置に開成される。
【００３１】
モニタ７のモニタ面７ｍに、内視鏡装置１が未使用の際、画像表示面３３を覆って保護する保護材である、例えば樹脂により形成されたカバー板３０が固定されている。詳しくは、カバー板３０は、該カバー板３０の画像表示面３３に対向する対向面３０ｔが、画像表示面３３に対して開閉自在となるよう、モニタ面７ｍに固定されている。
【００３２】
また、カバー板３０は、内視鏡装置１が未使用の際は、図１に示すように、カバー板３０の対向面３０ｔが、画像表示面３３に対して当接して画像表示面３３を覆う閉位置に閉成され、内視鏡装置１が使用される際は、図２に示すように、対向面３０ｔが、画像表示面３３に対して離間する開位置に開成される。
【００３３】
また、装置本体３の携帯性を向上させるため、装置本体３を操作者の肩等に掛けるためのベルト１０が、例えば装置本体３に対して着脱自在となるよう、外装筐体３５に２点で固定されている。
【００３４】
さらに、箱状の装置本体３の外装筐体３５の４辺に、装置本体３を戴置するためのゴム（例えばＮＢＲ）等により形成された、例えば４つの脚部５８が固定されている。
【００３５】
次に、先端部２１の構成について、図３〜図７を用いて説明する。図３は、図１の挿入部の先端部の構成を概略的に示す部分拡大斜視図、図４は、図３の先端部からシート状部材を分解して示す先端部の分解斜視図、図５は、図３中のＶ−Ｖ線に沿う先端部の部分断面図、図６は、図３の照明用レンズをフライアイレンズ形状に形成した変形例を示す照明用レンズの断面図、図７は、図３の照明用レンズをフルネラレンズ形状に形成した変形例を示す照明用レンズの断面図である。
【００３６】
図３〜図５に示すように、先端部２１は、固定枠である先端硬質部５０を有しており、先端硬質部５０は、例えば円筒状の第１の空間５１ｉを有する第１の筒状部５１と、該第１の筒状部５１を被覆する第２の筒状部５２とから主要部が構成されている。
【００３７】
尚、第２の筒状部５２は、第１の筒状部５１よりも大径に形成されていることから、第２の筒状部５２と被覆する第１の筒状部５１との間には、底部５２ｔにより有底の第２の空間５２ｉが形成されている。
【００３８】
先端硬質部５０の第１の空間５１ｉには、図３、図５に示すように、複数のレンズ等からなる対物光学系４０と、ＣＣＤ等の撮像素子４１とから主要部が構成された撮像ユニット４２が配設されている。
【００３９】
また、対物光学系４０は、先端の対物レンズ４０ａが、先端部２１の挿入方向先端の面２１ｓの略中央に望まれるよう第１の空間５１ｉに固定されている。尚、対物光学系４０は、１つのレンズから構成されていても構わない。
【００４０】
撮像ユニット４２は、後述するＬＥＤ４５及び照明用レンズ８４により照明された被検部位、即ち内視鏡画像を撮像するためのものである。撮像ユニット４２により撮像された内視鏡画像は、上述したように、接続された信号ケーブル４８を介して装置本体３に送信され、その後、ＣＰＵ等により画像処理された後、モニタ７に表示される。
【００４１】
先端硬質部５０の第２の空間５２ｉには、図３〜図５に示すように、光源となるチップ状のＬＥＤ４５と、ＬＥＤ４５を駆動するＬＥＤ基板４６と、ＬＥＤ４５から照射された光を集光して被検部位に照射する照明用レンズ８４とから主要部が構成された照明ユニット４３が、撮像ユニット４２を平面的に略等間隔で取り囲むよう、例えば４つ配設されている。尚、照明ユニット４３が配設される個数は、４つに限定されない。
【００４２】
詳しくは、第２の空間５２ｉ内における第２の筒状部５２の底部５２ｔには、ＬＥＤ基板４６に接続されて載置されたＬＥＤ４５が固定されており、該ＬＥＤ４５の照射方向の先端側及び外周には、透明接着剤５５がＬＥＤ４５を平面的に覆うように充填されて硬化されており、透明接着剤５５の先端面５５ｓには、照明用レンズ８４が形成されたシート状部材８０が貼着されている。
【００４３】
透明接着剤５５は、図３〜図５に示すように、ＬＥＤ４５の近傍に配設されるため、耐熱性を有していることが好ましく、一例としては、光透過性を有するエポキシ性接着剤が挙げられる。尚、透明接着剤５５は、光透過性を有する透明な接着剤であれば、どのような接着剤であっても構わない。
【００４４】
また、透明接着剤５５は、先端面５５ｓが、先端部２１の先端面２１ｓよりも、即ち対物レンズ４０ａの表面よりも凹んで位置するよう第２の空間５２ｉ内に充填されている。尚、透明接着剤５５は、先端面５５ｓが、対物レンズ４０ａの表面と同じ高さとなるよう第２の空間５２ｉ内に充填されていても構わない。
【００４５】
シート状部材８０は、中央に対物光学系４０の先端側が挿通される貫通孔８１が形成された平面的な形状がリング状に形成された部材であり、例えば、ＰＭＭＡポリメタクリル酸メチル（ポリメチルメタクリレート、アクリル樹脂）等の光透過性を有する樹脂材料から形成されている。
【００４６】
尚、シート状部材８０は、光透過性を有する、一般的に光学素子に用いる透明な樹脂材料であれば、どのような樹脂材料から形成されていても構わないが、ＬＥＤ４５の近傍に配設されるため、耐熱性を有していることが好ましい。
【００４７】
また、シート状部材８０における、該シート状部材８０を透明接着剤５５に貼着した際、４つの各ＬＥＤ４５の照射方向の上方に対向する位置には、先端面８４ｓの形状が凸状の、対物光学系４０の視野角と略同じ配光角を有している４つの照明用レンズ８４が、それぞれシート状部材８０と一体的に形成されている。尚、照明用レンズ８４の個数も４つに限定されない。即ち、照明用レンズ８４は、ＬＥＤ４５の個数に対応した個数がシート状部材８０に形成される。
【００４８】
また、照明用レンズ８４は、シート状部材８０に対し、例えばシート状部材８０を形成するに際し、型成型で、一体的に形成される。尚、照明用レンズ８４は、シート状部材８０の表面８０ｓに、別体で、例えば透明接着剤等で固定されていても構わない。
【００４９】
さらに、形成された照明用レンズ８４は、シート状部材８０が透明接着剤５５に貼着された際、先端部２１の先端面２１ｓに光の照射角度が遮られないよう、凸状の先端面８４ｓが、先端部２１の先端面２１ｓよりも、即ち対物レンズ４０ａの表面よりも照射方向先端側に突出して位置する。尚、凸状の先端面８４ｓが、対物レンズ４０ａの表面と同じ高さとなるよう、シート状部材８０は、透明接着剤５５に貼着されても構わない。
【００５０】
また、照明用レンズ８４は、ＬＥＤ４５から照射された光の集光性を高め、被検部位へとより配光良く照射できるよう、図６に示すように、形状がフライアイレンズ形状に形成されていても構わないし、図７に示すように、形状がフルネラレンズ形状に形成されていても構わない。これらの場合であっても、照明用レンズ８４の形状が、フライアイレンズ形状またはフルネラレンズ形状となるよう、シート状部材８０を形成する際、例えば型成型によって、シート状部材８０と一体的に形成される。
【００５１】
また、シート状部材８０が、透明接着剤５５に貼着される際は、シート状部材８０と透明接着剤５５との間に、気泡が入らないよう、透明接着剤５５がある程度乾燥した状態で、先端面５５ｓに、シート状部材８０の裏面８０ｒが貼着される。これは、気泡が入ると、ＬＥＤ４５から照射された光が、気泡により散乱してしまうためである。
【００５２】
また、シート状部材８０が、透明接着剤５５に貼着される際は、４つの照明用レンズ８４が、４つのＬＥＤ４５にそれぞれ対向するよう、上方から、例えばＣＣＤカメラを用いて観察されながら貼着される。
【００５３】
４つのＬＥＤ４５は、電源がバッテリユニット６２から照明ケーブル４９を介して供給されることにより、ＬＥＤ基板４６に駆動されて照明光をそれぞれ照射するものであり、各ＬＥＤ４５から照射された光は、透明接着剤５５、シート状部材８０を介して、対物光学系４０の視野角と略同じ配光角を有している４つの照明用レンズ８４にそれぞれ集光されて、対物光学系４０の視野角内の被検部位に、無駄なく効率良く照射される。
【００５４】
尚、その他の内視鏡装置１の構成は、周知であるため、説明は省略する。
【００５５】
このように、本実施の形態においては、照明用レンズ８４が形成されたシート状部材８０が、内視鏡２の先端部２１の先端硬質部５０の第２の筒状部５２の第２の空間５２ｉにおけるＬＥＤ４５の照射方向先端側に、各ＬＥＤ４５に各照明用レンズ８４が対向するよう、透明接着剤５５を介して固定されていると示した。
【００５６】
このことによれば、物理的に照明用レンズを機械的に固定するスペースが確保できない細径な先端部２１であっても、該細径な先端部２１に、シート状部材８０を、透明接着剤５５に貼着するのみで、照明用レンズ８４をＬＥＤ４５の照射方向の先端側に配設することができることから、先端部２１の細径化を図ったままで簡単に配設、固定することができるため、配設された照明用レンズ８４により、ＬＥＤ４５から照射された照明光を対物光学系４０の視野角に合わせて効率良く配光して被検部位へと照射することができる。
【００５７】
尚、以下、変形例を図８を用いて示す。図８は、側視型の内視鏡のＬＥＤが配設された先端部に、照明用レンズを配設する変形例を示す部分斜視図である。
【００５８】
本実施の形態においては、図１に示すように直視型の内視鏡２の挿入部２０のＬＥＤ４５が配設された先端部２１に照明用レンズ８４を配設する例に挙げて示したが、これに限らず、図８に示すように、側視型の内視鏡１０２の先端部１２１の対物光学系１４０が配設された平面的な近傍のチップ状のＬＥＤ４５の照射方向上方に、本実施の形態と同様の手法にて、照明用レンズ８４を固定しても構わない。尚、この場合、照明用レンズ８４の先端面８４ｓが、先端部１２１の側視面１２１ｓと同じ高さとなるよう固定されている方が、先端面８４ｓに外部から傷が付着され難いため好ましい。
【００５９】
このことによれば、側視型の内視鏡１０２であっても、直視型の内視鏡２を用いた本実施の形態と同様の効果を得ることができる。
【００６０】
（第２実施の形態）
図９は、本発明の第２実施の形態を示す内視鏡の挿入部の先端部の構成を概略的に示す斜視図、図１０は、図９中のＸ−Ｘ線に沿う先端部の部分断面図である。
【００６１】
この第２実施の形態の内視鏡、内視鏡装置の構成は、上記図１〜図８に示した内視鏡２、内視鏡装置１と比して、シート状部材を用いずに内視鏡の先端部に照明用レンズを配設する点が異なる。よって、この相違点のみを説明し、第１実施の形態と同様の構成には同じ符号を付し、その説明は省略する。
【００６２】
図９、図１０に示すように、内視鏡の先端部２２１の先端硬質部５０の第２の空間５２ｉには、ＬＥＤ４５と、ＬＥＤ４５を駆動するＬＥＤ基板４６と、ＬＥＤ４５から照射された光を集光して被検部位に照射するに照明用レンズ１５４が形成された透明接着剤１５５とから主要部が構成された照明ユニット１４３が、撮像ユニット４２を平面的に略等間隔で取り囲むよう、例えば第１実施形態と同様、４つ配設されている。尚、照明ユニット１４３が配設される個数は、第１実施形態と同様、４つに限定されない。
【００６３】
詳しくは、第２の空間５２ｉ内における第２の筒状部５２の底部５２ｔには、ＬＥＤ基板４６に接続されて載置されたＬＥＤ４５が固定されており、該ＬＥＤ４５の外周及び照射方向の先端側には、ＬＥＤ４５を覆うように透明接着剤１５５が充填されて硬化されている。
【００６４】
透明接着剤１５５も、図９、図１０に示すように、ＬＥＤ４５の近傍に配設されるため、耐熱性を有していることが好ましく、一例としては、光透過性を有するエポキシ性接着剤が挙げられる。尚、透明接着剤１５５も、光透過性を有する透明な接着剤であれば、どのような接着剤であっても構わない。
【００６５】
また、透明接着剤１５５は、先端面１５５ｓが、先端部２２１の先端面２２１ｓよりも、即ち対物レンズ４０ａの表面よりも凹んで位置するよう第２の空間５２ｉ内に充填されている。尚、透明接着剤１５５は、先端面１５５ｓが、対物レンズ４０ａの表面と同じ高さとなるよう第２の空間５２ｉ内に充填されていても構わない。
【００６６】
また、透明接着剤１５５の先端面１５５ｓにおける、４つの各ＬＥＤ４５の照射方向の上方に対向する位置には、先端面１５５ｓの形状が凸状の、対物光学系４０の視野角と略同じ配光角を有している４つの照明用レンズ１５４が、透明接着剤１５５と一体的に形成されている。尚、照明用レンズ１５４の個数も４つに限定されない。即ち、照明用レンズ１５４は、ＬＥＤ４５の個数に対応した個数が、透明接着剤１５５に形成される。
【００６７】
また、照明用レンズ１５４は、透明接着剤１５０に対し、例えば透明接着剤１５０を形成するに際し、透明接着剤１５０が硬化していない状態の際、型成型で、一体的に形成される。即ち、型を硬化していない透明接着剤１５０に押し当てることにより形成される。尚、照明用レンズ１５４は、透明接着剤１５０の表面１５０ｓに、別体で固定されていても構わない。
【００６８】
さらに、形成された照明用レンズ１５４は、先端部２２１の先端面２２１ｓに光の照射角度が遮られないよう、凸状の先端面１５４ｓが、先端部２２１の先端面２２１ｓよりも、即ち対物レンズ４０ａの表面よりも照射方向先端側に、突出して位置する。尚、凸状の先端面１５４ｓが、対物レンズ４０ａの表面と同じ高さとなるよう、照明用レンズ１５４は、透明接着剤５５に形成されても構わない。
【００６９】
また、本実施の形態においても、照明用レンズ１５４は、ＬＥＤ４５から照射された光の集光性を高め、被検部位へとより配光良く照射できるよう、上述した図６に示すように、形状がフライアイレンズ形状に形成されていても構わないし、図７に示すように、形状がフルネラレンズ形状に形成されていても構わない。これらの場合であっても、照明用レンズ１５４の形状が、フライアイレンズ形状またはフルネラレンズ形状となるよう、例えば型成型によって、透明接着剤１５０と一体的に形成される。
【００７０】
ＬＥＤ４５は、電源がバッテリユニット６２から照明ケーブル４９を介して供給されることにより、ＬＥＤ基板４６に駆動されて、照明光を照射するものであり、ＬＥＤ４５から照射された光は、透明接着剤１５５を介して、対物光学系４０の視野角と略同じ配光角を有して形成されている照明用レンズ１５４において集光されることから、対物光学系４０の視野角内の被検部位に、無駄なく効率良く照射される。
【００７１】
尚、その他の先端部２２１の構成は、第１実施形態の先端部２１と同じであるため、説明は省略する。
【００７２】
このように、本実施の形態においては、内視鏡の照明用レンズ１５４が透明接着剤１５５の先端面１５５ｓと一体的に形成されていると示した。
【００７３】
このことによれば、第１実施の形態のように、シート状部材８０を用いなくとも、物理的に照明用レンズを機械的に固定するスペースが確保できない細径な先端部２２１であっても、先端部２２１に、照明用レンズ１５４を、透明接着剤１５５により、先端部２２１の細径化を図ったままで、第１実施の形態よりもより簡単に配設することができることから、配設された照明用レンズ１５４により、ＬＥＤ４５から照射された照明光を対物光学系４０の視野角に合わせて効率良く配光して被検部位へと照射することができる。
【００７４】
尚、本実施の形態の照明用レンズ１５４の配光効率は、上述した第１実施形態の照明用レンズ８４の配光効率よりも劣るが、本実施の形態においては、内視鏡の照明用レンズを透明接着剤１５５で形成するため、上述した第１実施形態よりも照明用レンズを安価に形成することができる。
【００７５】
また、本実施の形態を、上述した図８に示したように、側視型の内視鏡に適用しても、上述した第１実施の形態と同様の効果を得ることができる。
【００７６】
尚、上述した第１、第２実施形態においては、内視鏡には、携帯性に優れたショルダ式の工業用の内視鏡装置が有する内視鏡を例に挙げて説明したが、これに限らず、挿入長さの長い挿入部、例えば約１０ｍの長さの挿入部を有し、該挿入部を装置本体に収納する大型の工業用の内視鏡装置が有する内視鏡に適用してもよいことは勿論である。
【００７７】
さらに、工業用の内視鏡に限定されず、医療用の内視鏡に適用してもよいことは云うまでもない。
【図面の簡単な説明】
【００７８】
【図１】本発明の第１実施の形態を示す内視鏡を有する内視鏡装置の斜視図。
【図２】図１の内視鏡装置を使用する際の、装置本体の戴置状態を示す斜視図。
【図３】図１の挿入部の先端部の構成を概略的に示す部分拡大斜視図。
【図４】図３の先端部からシート状部材を分解して示す先端部の部分分解斜視図。
【図５】図３中のＶ−Ｖ線に沿う先端部の部分断面図。
【図６】図３の照明用レンズをフライアイレンズ形状に形成した変形例を示す照明用レンズの断面図。
【図７】図３の照明用レンズをフルネラレンズ形状に形成した変形例を示す照明用レンズの断面図。
【図８】側視型の内視鏡のＬＥＤが配設された先端部に、照明用レンズを配設する変形例を示す部分斜視図。
【図９】本発明の第２実施の形態を示す内視鏡の挿入部の先端部の構成を概略的に示す斜視図。
【図１０】図９中のＸ−Ｘ線に沿う先端部の部分断面図。
【符号の説明】
【００７９】
２…内視鏡
２０…挿入部
２１…先端部
４２…撮像ユニット
４５…ＬＥＤ
５０…固定枠
５１…第１の筒状部
５１ｉ…第１の空間
５２…第２の筒状部
５２ｉ…第２の空間
５５…透明接着剤
８０…シート状部材
８４…照明用レンズ
１０２…側視型内視鏡
１２１…先端部
１５４…照明用レンズ
２２１…先端部
【図１】
2007296112.tif 000003
【図２】
2007296112.tif 000004
【図３】
2007296112.tif 000005
【図５】
2007296112.tif 000006
【図６】
2007296112.tif 000007
【図７】
2007296112.tif 000008
【図８】
2007296112.tif 000009
【図１０】
2007296112.tif 000010
【図４】
2007296112.tif 000011
【図９】
2007296112.tif 000012